(57)【特許請求の範囲】
【請求項１】
表示板を備える標示部と、該標示部の外縁を囲う枠体とを供える標識体であって、
前記標示部は多角形形状に形成され、
前記枠体は、前記標示部の多角形形状の辺を覆う辺枠材と、該辺枠材の端部に取り付けられて前記標示部の隅部を覆う角枠材とを備えて、前記標示部の全周を囲うように形成されており、
前記辺枠材の外周面に溝部が形成されると共に、
前記角枠材に前記溝部へ収納可能な突部が端から突出して形成され、
前記突部が前記溝部へ収納され固定されて、前記角枠材が前記辺枠材へ固定されており、
前記角枠材は、前記標示部の外縁の外側に配置されるウェブ部と、該ウェブ部から延設されて前記標示部の前面側に配置される前フランジ部と、前記ウェブ部から延設されて前記標示部の後面側に配置される後フランジ部とが設けられた略コの字形状の断面に形成されており、
前記角枠材は、前記前フランジ部が形成された前部材と、前記後フランジ部が形成された後部材と、前記突部が形成されて前記前部材と後部材との間に狭着される中部材とから形成されていることを特徴とする標識体。
【請求項２】
表示板を備える標示部と、該標示部の外縁を囲う枠体とを供える標識体であって、
前記標示部は多角形形状に形成され、
前記枠体は、前記標示部の多角形形状の辺を覆う辺枠材と、該辺枠材の端部に取り付けられて前記標示部の隅部を覆う角枠材とを備えて、前記標示部の全周を囲うように形成されており、
前記辺枠材の外周面に内側方向へ窪んで前記外周面の外側に開口する溝部が形成されると共に、
前記角枠材に前記溝部へ収納可能な突部が端から突出して形成され、該突部は前記溝部へ外側の開口部分から挿入可能に形成されており、
前記突部が前記溝部へ収納され固定されて、前記角枠材が前記辺枠材へ固定されていることを特徴とする標識体。
【発明の詳細な説明】
【技術分野】
【０００１】
本発明は、交通事故等の防止を図るために道路等に設置され、道路標識等として用いられる標識体に関するものである。
【背景技術】
【０００２】
道路等に設置される道路標識や交通案内標識などにおいて、種々の標識体の発明が開示されている。
【０００３】
例えば、特許文献１には、両端開放の枠体と、該枠体の一面側に配置される第１透明基板と、該第１透明基板の裏面側に形成される所望形状の図形からなる第１発光層と、該枠体の他面側に配置される第２透明基板と、該第２透明基板の裏面側に形成される所望形状の図形からなる第２発光層と、上記第１発光層及び該第２発光層間に配置され、これらの発光層を発光させるための紫外線光源と、を備えることを特徴とする発光標示体、の構成が開示されている。
【先行技術文献】
【特許文献】
【０００４】
【特許文献１】特開平８−６５１３号公報
【発明の概要】
【発明が解決しようとする課題】
【０００５】
特許文献１の実施の形態の説明において、発光標示体に用いられる枠体は、両端面が開放であり、表裏面側に枠体外径よりもやや小さい窓部を形成する構成が記載されているが、このように標示の周囲を囲うような枠体は、その組み立て方法が煩雑な構造となる場合があった。
本発明は、表示板を備える標示部の周囲を囲う枠体を備え、この枠体を容易に組み立て可能な標識体を提供するものである。
【課題を解決するための手段】
【０００６】
上記目的を達成するため、本発明は以下のような構成としている。
すなわち本発明に係る標識体は、表示板を備える標示部と、該標示部の外縁を囲う枠体とを供える標識体であって、
前記標示部は多角形形状に形成され、
前記枠体は、前記標示部の多角形形状の辺を覆う辺枠材と、該辺枠材の端部に取り付けられて前記標示部の隅部を覆う角枠材とを備えて、前記標示部の全周を囲うように形成されており、
前記辺枠材の外周面に溝部が形成されると共に、
前記角枠材に前記溝部へ収納可能な突部が端から突出して形成され、
前記突部が前記溝部へ収納され固定されて、前記角枠材が前記辺枠材へ固定されており、
前記角枠材は、前記標示部の外縁の外側に配置されるウェブ部と、該ウェブ部から延設されて前記標示部の前面側に配置される前フランジ部と、前記ウェブ部から延設されて前記標示部の後面側に配置される後フランジ部とが設けられた略コの字形状の断面に形成されており、
前記角枠材は、前記前フランジ部が形成された前部材と、前記後フランジ部が形成された後部材と、前記突部が形成されて前記前部材と後部材との間に狭着される中部材とから形成されていることを特徴としている。
また、表示板を備える標示部と、該標示部の外縁を囲う枠体とを供える標識体であって、
前記標示部は多角形形状に形成され、
前記枠体は、前記標示部の多角形形状の辺を覆う辺枠材と、該辺枠材の端部に取り付けられて前記標示部の隅部を覆う角枠材とを備えて、前記標示部の全周を囲うように形成されており、
前記辺枠材の外周面に内側方向へ窪んで前記外周面の外側に開口する溝部が形成されると共に、
前記角枠材に前記溝部へ収納可能な突部が端から突出して形成され、該突部は前記溝部へ外側の開口部分から挿入可能に形成されており、
前記突部が前記溝部へ収納され固定されて、前記角枠材が前記辺枠材へ固定されていることを特徴としている。
【０００７】
本発明に係る標識体によれば、表示板を備え多角形状に形成させた標示部の外縁を囲う枠体に、前記標示部の辺を覆う辺枠材と、この辺枠材の端部に取り付けて前記標示部の隅部を覆う角枠材とを備えさせて、前記標示部の全周を囲うように形成させ、前記辺枠材に溝部を形成すると共に、前記角枠材に前記溝部へ収納可能な突部を端から突出させて形成し、前記突部を前記溝部へ収納させ固定させて、前記角枠材を前記辺枠材へ固定させるので、角枠材と辺枠材との位置合わせを容易に行って、組み立てることができる。
また、前記溝部を辺枠材の外周面に形成させるので、前記標示部へ前記辺枠材を取り付けた後で、その溝部へ外側から前記突部を収納させて角枠材を容易に取り付けることができ、標示部の全周を囲う前記枠体の組み立てを容易に行うことができる。
【０００８】
また、前記標示部の外縁の外側に配置させるウェブ部と、該ウェブ部から延設させて前記標示部の前面側に配置させる前フランジ部と、前記ウェブ部から延設させて前記標示部の後面側に配置させる後フランジ部とを設けた略コの字形状の断面に前記角枠材を形成させ、
前記角枠材を、前記前フランジ部を形成させた前部材と、前記後フランジ部を形成させた後部材と、前記突部を形成させて前記前部材と後部材との間に狭着させる中部材とから形成させれば、前記標示部の隅部を覆い前記溝部を収納可能な突部を備えた角枠材を容易に形成させることができ、好ましい。
【発明の効果】
【０００９】
本発明に係る標識体によれば、表示板を備える標示部の周囲を囲う枠体を、容易に組み立てることができる。
【図面の簡単な説明】
【００１０】
【図１】本発明に係る標識体の実施の一形態を示す正面図である。
【図２】図１の標識体を各部材に分解した状態を示す図である。
【図３】図１のＡ−Ａ断面図である。
【図４】図２の角枠材を示す図である。
【図５】図４のＡ−Ａ断面図である。
【図６】図４の角枠材を各部材に分解した状態を示す図である。
【図７】図６の前部材を示す、（イ）は正面図であり、（ロ）は背面図である。
【図８】標示部に辺枠材を取り付けた状況を示す図である。
【図９】図８の辺枠材に角枠材を取り付けた状況を示す図である。
【発明を実施するための形態】
【００１１】
本発明の実施の形態を図面に基づき具体的に説明する。
図面において、１は標識体である。
本実施形態の標識体１は、略逆三角形状に形成された標示部４と、その周囲を囲う枠体Ｆとを備えている。
【００１２】
本実施形態の標識体１は、一時停止場所を示す規制標識であり、標示部４には赤色の背景に、逆三角形状の縁に沿って表される白色の枠線表示と、中央付近に表される白色の「止まれ」の文字表示が形成されている。
【００１３】
枠体Ｆは、標示部４の３個の辺に沿ってそれぞれ配置された棒形状の３本の辺枠材２と、標示部４の３個の隅部にそれぞれ配置された円弧形状の角枠材３とを備え、各辺枠材２の端部に角枠材３をそれぞれ固定して連結させて、逆三角形のリング状の枠体Ｆを形成させている。
【００１４】
図２は図１の標識体１を各部材に分解した状態を示す図であり、図３は図１のＡ−Ａ断面図である。
図２に示すように、前記標示部４は上辺４ａと、その左右に配置された２つの隅部４ｃから下方の隅部４ｃへ延びる２つの斜辺４ｂとを備える略逆三角形形状に形成されている。詳細には、前記３つの隅部４ｃは、上辺４ａ及び各斜辺４ｂのそれぞれの端を直線状に結ぶ形状に形成されている。
尚、本実施形態の標示部４は、隅部４ｃを直線状に形成させているが、これに限るものではなく、曲線状に形成させてもよく、また、上辺４ａや各斜辺４ｂのそれぞれの端が繋がる角形状に形成させても良く、他の形状に形成させてもよい。
【００１５】
図３に示すように、本実施形態の辺枠材２は、標識体１の端に配置されるウェブ部２１と、このウェブ部２１から標識体１の内側方向へ突出する板形状のフランジ部２２を備えている。このフランジ部２２は、ウェブ部２１の全長に亘り、その前側及び後側からそれぞれ１個づつ合計２個突出して形成されており、辺枠材２はコの字形状の断面に形成されている。
また、ウェブ部２１には、標識体１の内側方向へ矩形形状に窪む溝部２３が、辺枠材２の長手方向に沿って全長に亘って形成されている。溝部２３は、ウェブ部２１の幅方向中央に配置されて１条形成されている。
【００１６】
辺枠材２は、突出する各フランジ部２２の間に前記標示部４の上辺４ａ、又は各斜辺４ｂの縁を挿入させて、標示部４を固定させている。
標示部４は、板形状に形成された表示板４１と、その後方に配置された板形状の導光板４２と背面板４３とを備えており、各フランジ部２２の間に表示板４１、導光板４２、背面板４３の各々の三つの辺の縁をそれぞれ挿入させた各辺枠材２が、それぞれの端部を各角枠材３で連結されてリング状の枠体Ｆに形成されることで、表示板４１、導光板４２、背面板４３がそれぞれ枠体Ｆから外れないように設けている。
このため、標示部４を枠体Ｆへボルトなどで直接的に固定させずに、各辺部材２と各角部材３との組み立てによる枠体Ｆの形成によって、標示部４を枠体Ｆへ固定させることができる。
【００１７】
尚、表示板４１と導光板４２との間、及び導光板４２と背面板４３との間には、それぞれ隙間が形成されるようにパッキンＳが取り付けられており、このパッキンＳは各辺枠材２の各フランジ部２２間に挿入されるように、表示部４１、導光板４２、背面板４３のそれぞれの縁付近に取り付けられている。
前記パッキンＳが表示部４１と導光板４２との間、及び導光板４２と背面板４３との間に取り付けられることで、これらの隙間の内側への水などの浸入が抑制される。また、パッキンＳにより表示部４１と導光板４２との間、及び導光板４２と背面板４３との間に隙間が形成されることで、この隙間へ水が浸入した場合でも毛細管現象による隙間内の水の滞留が抑制され、水が下方へ流れ落ちて、排水しやすくなされる。
【００１８】
３本の辺枠材２の内、標示部４の上辺４ａに取り付けられた辺枠材２には、各フランジ部２２の間に収納されて照明部６が取り付けられている。
具体的には、本実施形態の照明部６は棒形状に形成され、前記辺枠材２の略全長に亘るように取り付けられており、表示板４１、導光板４２、背面板４３の縁と、辺枠材２のウェブ部２１の内側面との間に配置されている。
【００１９】
照明部６は、下方に開口する断面コの字形状の棒状のホルダ６３を備え、このホルダ６３の長手方向に長い基板６２がホルダ６３の内側に収納されて取り付けられている。
そして、この基板６２の下面には、複数のＬＥＤ６１が長手方向に沿って等間隔に並設されている。各ＬＥＤ６１は下方へ向けて発光するように基板６２に取り付けられており、照明部６は各ＬＥＤ６１からの光がホルダ６３の開口から下方へ向けて発せられるように設けられている。
【００２０】
前記導光板４２は、その上方の縁が前記各ＬＥＤ６１の真下に位置するように配置されており、各ＬＥＤ６１からの光が導光板４２の縁からその内側へ入光するように設けられている。
本実施形態の導光板４２は、無色透明な板体に形成され、その後面の全体に亘って多数の光拡散体４２ａがドット状に付着して設けられている。これは、導光板４２の縁から入光した光が各光拡散体４２ａに反射されて、導光板４２の前面側を面発光させるように構成されている。
また、導光板４２の単位面積あたりの光拡散体４２ａの面積は、導光板６の上方より下方へ至るほど大きくなるように設けられている。
これにより、光源である照明部６からより遠ざかる導光板４２の下方へ至る程、各光拡散体４２ａによる反射の効果が大きくなり、導光板４２の前面が全体的に均一な光の強さで面発光するようになされている。
【００２１】
また、本実施形態の導光板４２は、後面にドット状の光拡散体４２ａを設けた構成を用いているが、これに限るものではなく、縁から入光させた光によって前面側を面発光させる導光板であれば好適に用いることができる。例えば、透光性を有する乳白色に形成された導光板などを用いてもよい。
【００２２】
背面板４３は、金属板や樹脂板などを好適に用いることができ、本実施形態の背面板４３はアルミニウム板で形成されている。また、本実施形態の背面板４３は、前面側を全面に亘り白色に塗装しており、前面側に配置された導光板４２からの光を効率的に導光板４２側へ反射させるように設けている。
【００２３】
表示板４１は、白色板状に形成され、その前面に赤色のシート状の着色層４１ａを備えている。具体的には、前記着色層４１ａは前記標示部４の赤色の背景部分を形成し、着色層４１ａの一部が切り欠かれて白色の表示板４１が視認される部分で、前記標示部４の白色の枠線表示や、中央付近の「止まれ」の文字表示が描かれるように形成されている。
表示板４１は透光性を有し、後方に配置されて面発光する導光板４２からの光を全体的に透過させて、夜間における表示の視認性を向上させている。
【００２４】
本実施形態の標識体１は、標示部４へ光を導く導光板４２を設け、枠体Ｆに内装させた照明部６からの光を導き表示板４１から透過させる構成の、所謂、内照式標識となされているが、これに限るものではない。例えば、照明部６を備えず内照式ではない標識体に設けても良く、このような場合には、標示部４に導光板４２などを設けずに表示板４１のみの構成としてもよい。
【００２５】
図４は図２の角枠材３を示す図であり、図５は図４のＡ−Ａ断面図であり、図６は図４の角枠材３を各部材に分解した状態を示す図である。
本実施形態の角枠材３は円弧状に曲がる棒形状に形成され、その両端からそれぞれ突出する２つの突部３７が形成されている。具体的には、前記各突部３７は前記角枠材３の円弧状に曲がる外周面に接するようにそれぞれ形成され、詳細には、前記角枠材３の両端から外周面の接線方向へそれぞれ突出するように形成されている。
【００２６】
図５に示すように、本実施形態の角枠材３は、標識体１の端に配置されるウェブ部３１と、このウェブ部３１から標識体１の内側方向へ突出する板形状の前フランジ部３２ａ、及び後フランジ部３２ｂの２つのフランジ部３２を備えた、コの字形状の断面に形成されている。
具体的には、前記前フランジ部３２ａと後フランジ部３２ｂとは、ウェブ部３１の前面側と後面側とにそれぞれ配置されて、ウェブ部３１の全長に亘り形成されている。
【００２７】
図５及び図６に示すように、本実施形態の角枠材３は、前記前フランジ部３２ａが形成された前部材３３ａと、前記後フランジ部３２ｂが形成された後部材３３ｂと、これら前部材３３ａと後部材３３ｂとの間に配置されて狭着される中部材３５との３つの部材から形成されている。
【００２８】
図７は図６の前部材３３ａを示す、（イ）は正面図であり、（ロ）は背面図である。
前部材３３ａは、前記ウェブ部３１の前部分を構成する前ウェブ部３１ａと、この前ウェブ部３１ａから延設される前フランジ部３２ａとを備える、Ｌの字形状の断面に形成されている。
この前ウェブ部３１ａには、前面から後面へ貫通する丸穴形状の貫通穴３４ａが３個形成されている。
【００２９】
後部材３３ｂは、前記前部材３３ａと同一形状に形成されている。
即ち、後部材３３ｂは前記ウェブ部３１の後部分を構成する後ウェブ部３１ｂと、この後ウェブ部３１ｂから延設される前記後フランジ部３２ｂとを備えるＬの字形状の断面に形成されており、後ウェブ部３１ｂには、丸穴形状の貫通穴３４ｂが３個形成されている。
【００３０】
中部材３５は、平板形状に形成されており、図６に示すように前記ウェブ部３１の中央部分を構成する中ウェブ部３６と、２つの前記突部３７は中ウェブ部３６の両端から突出して形成されている。
前記中ウェブ部３６には、前面から後面へ貫通する丸穴形状の貫通穴３９が３個形成されている。各貫通穴３９は前記各貫通穴３４ａ及び各貫通穴３４ｂに対応する配置で形成されている。
また、前記各突部３７には、前面から後面へ貫通する丸穴形状の貫通穴３８がそれぞれ２個１組で形成され、各突部３７に１組２個づつ、合計２組４個の貫通穴３８が形成されている。
【００３１】
前記角枠材３は、前記前部材３３ａの前ウェブ部３１ａの後面を中部材３５の中ウェブ部３６の前面へ当接させ、前記後部材３３ｂの後ウェブ部３１ｂの前面を中部材３５の中ウェブ部３６の後面へ当接させて、前部材３３ａの貫通穴３４ａ、中部材３５の貫通穴３９、及び後部材３３ｂの貫通穴３４ｂへ挿通させたブラインドリベットＲによりこれらの部材を互いに固定させて、設けられている。
【００３２】
図８は標示部４に辺枠材２を取り付けた状況を示す図であり、図９は図８の辺枠材２に角枠材３を取り付けた状況を示す図である。
各辺枠材２は、それぞれの各フランジ部２２の間に標示部４の上辺４ａ、若しくは斜辺４ｂを挿入させ、ウェブ部２１に形成された溝部２３の開口を外側へ向けて、標示部４へ取り付けられる。
【００３３】
本実施形態の各辺枠材２には、ウェブ部２１の前面から後面に至り貫通する丸穴形状の貫通穴２８が形成されている。具体的には、貫通穴２８は、前記溝部２３を横切るように設けられて、各辺枠材２の長手方向の両端にそれぞれ設けられている。前記貫通穴２８は２個１組に形成されて、各辺枠材２の両端にそれぞれ１組づつ設けられており、各辺枠材２にそれぞれ合計２組４個の貫通穴２８が形成されている。
前記２個１組に形成された各貫通穴２８は、前記角枠材３の突部３７に形成された貫通穴３８に対応する配置に形成されている。
また、各貫通穴２８の辺枠材２の後面付近の内周面には雌ねじがそれぞれ形成されている。
【００３４】
標示部４に取り付けられた各辺枠材２へ、角枠材３を取り付ける場合には、角枠材３の２つのフランジ部３２の間へ、標示部４の隅部４ｃを挿入させて、標示部４の外側から角枠材３を取り付ける。
このとき、角枠材３の２つの突部３７を、その両端側にそれぞれ配置された２本の辺枠材２の各溝部２３へ挿入させて、各溝部２３の内側へ収納させる。
最後に、固定ボルトの雄ねじ部分を辺枠材２の前面側から貫通穴２８へ挿入させ、更に角枠材３の突部３７に設けられた貫通穴３８へ挿入させて、前記貫通穴２８に形成された雌ねじに螺結させ、辺枠材２の端部に角枠材３を固定させる。
【００３５】
本実施形態の各辺枠材２は、各々の溝部２３を標識体１の外周面に配置させて外側方向へ開口するように設けられているので、角枠材３の各突部３７を溝部２３へ収納させるときに、外側方向の溝部２３の開口部分から容易に挿入させることができる。
このため、各辺枠材２へ各角枠材３を容易に取り付けて、枠体Ｆを組み立てることができる。
【００３６】
また、前記溝部２３は、各辺枠材２の全長に亘って形成されているので、本実施形態の角部材３以外の部材の取り付けにも利用できる。
例えば、本実施形態の標識体１と別体に形成させた太陽電池ユニットに、前記溝部２３へ挿入可能な脚部を設け、この脚部を標示部４の上辺４ａへ取り付けた辺枠材2の溝部２３へ挿入させて前記太陽電池ユニットを標識体１の上部へ取り付けてもよく、太陽電池ユニット以外の部材に溝部２３へ挿入可能な脚部を設けて、この脚部を溝部２３へ挿入させて標識体１へ取り付けて設けても良い。
【００３７】
また、本実施形態の角枠材３の各突部３７は、その断面形状が辺枠材２の溝部２３の断面より若干小さな矩形形状に形成されており、溝部２３へ収納された突部３７がガタつくなど、溝部２３内部での位置の変動が少なくなされている。
そして、溝部２３へ突部３７を収納させた角枠材３の端部を、辺枠材２の端部へ当接させたときに、前記辺枠材２に形成された貫通穴２８の位置と、突部３７に形成された貫通穴３８の位置とが一致するように設けられており、辺枠材２への角枠材３の取り付けや、固定ボルトによる固定を、容易に実施できるようになされている。
【００３８】
本実施形態の辺枠材２は、アルミニウム合金の押出成形により形成させている。
また、本実施形態の角枠材３の、前部材３３ａ、及び後部材３３ｂをアルミニウム合金のダイカストで形成させている。
また、本実施形態の角枠材３の中部材３５は、アルミニウム合金の板材を切削加工等によって形成させている。
前記辺枠材２や角枠材３の材質はこれらに限るものではなく、他の種類のアルミニウム合金や、他の種類の金属、または合成樹脂など金属以外の材料を用いても良い。
【００３９】
本実施形態の角枠材は、中部材３５を、前部材３３ａや後部材３３ｂより機械的強度の大きな材料を用いて形成させており、また、前部材３３ａや後部材３３ｂを成形性の良好な材料で形成させ、辺枠材２の溝部２３へ収納されて固定される突部３７の前記辺枠材２の溝部２３への挿入を、容易且つ確実にガタつきなく行わせると共に、これを用いて形成させた枠体Ｆの外力に対する耐久性を高めることができる。
【符号の説明】
【００４０】
１    標識体
２    辺枠材
２１  ウェブ部
２２  フランジ部
２３  溝部
３    角枠材
３１  ウェブ部
３２ａ  前フランジ部
３２ｂ  後フランジ部
３３ａ  前部材
３３ｂ  後部材
３５    中部材
３７  突部
４    標示部
４１  表示板
４２  導光板
４３  背面板
４ａ  上辺
４ｂ  下辺
４ｃ  隅部
６    照明部
６１  ＬＥＤ
６２  基板
６３  ホルダ
Ｆ    枠体
Ｒ    ブラインドリベット
Ｓ    パッキン
【図１】
0005973215.tif 000002
【図２】
0005973215.tif 000003
【図３】
0005973215.tif 000004
【図４】
0005973215.tif 000005
【図５】
0005973215.tif 000006
【図６】
0005973215.tif 000007
【図７】
0005973215.tif 000008
【図８】
0005973215.tif 000009
【図９】
0005973215.tif 000010